(57)【要約】【課題】通常の熱定着通過後の記録シート上のトナー画像に平滑なシートを重ねて第２定着手段で再溶融と固定化を行い、その後平滑なシートを剥離することで高光沢な画像形成が容易に行える電子写真方式の画像形成装置を提供する。【解決手段】記録シートＰ上のトナー像に光沢付与シート１７を重ね合わせた状態で定着を行う第１定着手段１３及び第２定着手段２０と、記録シートＰと光沢付与シート１７との分離を行う分離手段２２とを有する画像形成装置において、光沢付与シート１７の先端部を記録シートＰから搬送方向下流側に突出する位置的なオフセット状態で記録シートＰと常に重ね合わせて、かつ、この状態で分離手段２２へ進入させるようにした。【選択図】図１
2008064804.tif 000002
【特許請求の範囲】
【請求項１】
記録シート上のトナー像に光沢付与シートを重ね合わせた状態で定着を行う際１及び第２定着手段と、前記記録シートと前記光沢付与シートとの分離を行う分離手段とを有する画像形成装置において、前記光沢付与シートの先端部を前記記録シートから搬送方向下流側に突出する位置的なオフセット状態で前記記録シートと常に重ね合わせて、かつ、この状態で前記分離手段へ進入させるようにしたことを特徴とする画像形成装置。
【請求項２】
前記記録シート上の搬送方向先端部分には、トナー像が形成されないトナー画像形成禁止領域を設けることを特徴とする請求項１記載の画像形成装置。
【請求項３】
前記トナー画像禁止領域の長さは、前記記録シートとこれに対峙する前記光沢付与シートの分離位置と、前記記録シートを搬送する搬送コロとの距離より長いことを特徴とする請求項１記載の画像形成装置。
【請求項４】
前記分離手段は、その先端に前記記録シートと前記光沢付与シートとの間隙に入り込み、かつ前記記録シートと前記光沢付与シートとを分離する爪状部位を有していることを特徴とする請求項１乃至３のいずれか１項記載の画像形成装置。
【請求項５】
少なくとも前記分離手段近傍で前記光沢付与シート及び前記記録シートを搬送する搬送手段が前記光沢付与シートを静電的に吸着させながら搬送を行い、かつ、前記分離手段の手前において重ね合わされた両シートの間隙を広げる方向へ搬送することを特徴とする請求項１乃至４のいずれか１項記載の画像形成装置。
【請求項６】
少なくとも前記分離手段近傍で前記光沢付与シート及び前記記録シートを搬送する搬送手段は、搬送コロに代えて搬送ベルトであり、前記光沢付与シートを、気流による吸引効果により吸着させながら搬送を行い、かつ、前記分離手段の手前において重ね合わされた両シートの間隙を広げる方向へ搬送することを特徴とする請求項１乃至４のいずれか１項記載の画像形成装置。
【発明の詳細な説明】
【技術分野】
【０００１】
本発明は、記録シート上のトナー像に光沢付与シートを重ね合わせた状態で定着を行う第１及び第２定着手段を備える電子写真方式の画像形成装置に関するものである。
【背景技術】
【０００２】
従来から、画像形成装置において、通常の熱定着を通過しかつトナー画像を定着させた転写紙（記録シート）をさらに光沢を付与するために光沢付与シートとともに第２定着手段を通過させることが知られている（例えば、特許文献１乃至５参照）。
特許文献１及び２には、記録用紙が光沢性付与シートに対して突出した状態で重ね合わされる技術が、特許文献３には、画像の光沢を切り換える技術が開示されている。
特許文献４には、支持体のトナー画像に、シートを重ねて加熱及び加圧を行い、前記トナー画像を再溶融し、再溶融後のトナー画像を冷却した後支持体からシートを剥離することで、画質の向上を得る技術が、そして特許文献５には、画像記録部材の上下両面をラミネート被覆することができる技術が開示されている。
【０００３】
光沢付与シートは、記録シート上のトナー画像を平滑にし、高光沢を得るために接触させられる。記録シート上のトナー画像は、光沢付与シートに重ねられた状態で第２定着を通過時に溶融するため、トナー画像は光沢付与シートの平滑性を写し取ることができる。
この時、光沢付与シートは記録シート上のトナー画像表面を平滑にするためだけに使用するものであるため、記録シート及びトナー画像から剥離する必要がある。
【特許文献１】特開平０５−２４９７２４号公報
【特許文献２】特開昭６１−１２２６６６号公報
【特許文献３】特開２００１−２２２１７１公報
【特許文献４】特開平０４−０３１３９３号公報
【特許文献５】特開２００３−０７６２０１公報
【発明の開示】
【発明が解決しようとする課題】
【０００４】
しかしながら、トナー画像は、光沢付与シートに接触したまま、第２定着により溶融し固化しているので、光沢付与シートにも接着しており、記録シートと光沢付与シートは容易には剥離できない。
特に、記録シートと光沢付与シートが、ズレ無く重なっている場合は、それぞれの片面は、相手の片面により接触不能となっているため、両者を独立に操作することは困難であり、より剥離が困難となる。
【０００５】
そこで、本発明の目的は、上述した実情を考慮して、通常の熱定着通過後の記録シート上のトナー画像に、平滑なシートを重ね、第２定着手段で再溶融と固定化を行い、その後平滑なシートを剥離することで、高光沢な画像形成が容易に行える電子写真方式の画像形成装置を提供することにある。
【課題を解決するための手段】
【０００６】
上記の課題を解決するために、請求項１に記載の発明は、記録シート上のトナー像に光沢付与シートを重ね合わせた状態で定着を行う第１及び第２定着手段と、前記記録シートと前記光沢付与シートとの分離を行う分離手段とを有する画像形成装置において、前記光沢付与シートの先端部を前記記録シートから搬送方向下流側に突出する位置的なオフセット状態で前記記録シートと常に重ね合わせて、かつ、この状態で前記分離手段へ進入させるようにした画像形成装置を特徴とする。
また請求項２に記載の発明は、前記記録シート上の搬送方向先端部分には、トナー像が形成されないトナー画像形成禁止領域を設ける請求項１記載の画像形成装置を特徴とする。
【０００７】
また請求項３に記載の発明は、前記トナー画像禁止領域の長さは、前記記録シートとこれに対峙する前記光沢付与シートの分離位置と、前記記録シートを搬送する搬送コロとの距離より長い請求項１記載の画像形成装置を特徴とする。
また請求項４に記載の発明は、前記分離手段は、その先端に前記記録シートと前記光沢付与シートとの間隙に入り込み、かつ前記記録シートと前記光沢付与シートとを分離する爪状部位を有している請求項１乃至３のいずれか１項記載の画像形成装置を特徴とする。
【０００８】
また請求項５に記載の発明は、少なくとも前記分離手段近傍で前記光沢付与シート及び前記記録シートを搬送する搬送手段が前記光沢付与シートを静電的に吸着させながら搬送を行い、かつ、前記分離手段の手前において重ね合わされた両シートの間隙を広げる方向へ搬送する請求項１乃至４のいずれか１項記載の画像形成装置を特徴とする。
また請求項６に記載の発明は、少なくとも前記分離手段近傍で前記光沢付与シート及び前記記録シートを搬送する搬送手段は、搬送コロに代えて搬送ベルトであり、前記光沢付与シートを、気流による吸引効果により吸着させながら搬送を行い、かつ、前記分離手段の手前において重ね合わされた両シートの間隙を広げる方向へ搬送する請求項１乃至４のいずれか１項記載の画像形成装置を特徴とする。
【発明の効果】
【０００９】
本発明によれば、記録シートと光沢付与シートが位置的にオフセットを持って重ね合わされているため、両シートに対する分離部材は、光沢付与シートにのみまず容易に接触でき、分離作用を発生させることができるため、分離作業が容易である。
【発明を実施するための最良の形態】
【００１０】
以下、図面を参照して、本発明の実施形態を詳細に説明する。図１は本発明を実施する電子写真式の画像形成装置の構成を示す概略図である。この画像形成装置５０は、イエロー（Ｙ）、マゼンタ（Ｍ）、シアン（Ｃ）、ブラック（Ｋ）の各色の画像を形成するための４つの画像形成ユニット１Ｙ、１Ｍ、１Ｃ、１Ｋを備える。なお、Ｙ、Ｍ、Ｃ、Ｋの色順は、図１に限るものでなく、他の並び順であっても構わない。
画像形成ユニット１Ｙ、１Ｍ、１Ｃ、１Ｋは、それぞれ、像担持体としての感光体ドラム１１Ｙ、１１Ｍ、１１Ｃ、１１Ｋと、帯電手段、現像手段１０Ｙ、１０Ｍ、１０Ｃ、１０Ｋ、クリーニング手段とを備えている。
また、各画像形成ユニット１Ｙ、１Ｍ、１Ｃ、１Ｋの配置は、各感光体ドラム１１Ｙ、１１Ｍ、１１Ｃ、１１Ｋの回転軸が平行になるようにかつ転写紙移動方向に所定のピッチで配列するように、設定されている。
画像形成ユニット１Ｙ、１Ｍ、１Ｃ、１Ｋの上方には、光源、ポリゴンミラー、ｆ−θレンズ、反射ミラー等を備え、画像データに基づいて各感光体ドラム１１Ｙ、１１Ｍ、１１Ｃ、１１Ｋの表面にレーザ光を走査しながら照射する光書き込みユニット３が配置されている。
【００１１】
画像形成ユニット１Ｙ、１Ｍ、１Ｃ、１Ｋの下方には、転写紙（記録シート）Ｐを担持して各画像形成ユニット１Ｙ、１Ｍ、１Ｃ、１Ｋの転写部を通過するように搬送する転写搬送ベルト４０を有するベルト駆動装置としての転写ユニット６が配置されている。
転写搬送ベルト４０の外周面には、ブラシローラとクリーニングブレードから構成されたクリーニング装置４１が接触するように配置されている。このクリーニング装置４１により転写搬送ベルト４０上に付着したトナー等の異物が除去される。
転写ユニット６の側方にはベルト定着方式の定着ユニット７、排紙トレイ等が備えられている。画像形成装置下部には、転写紙Ｐが載置された給紙カセット４ａ、４ｂを備えている。また、画像形成装置側面から手差しで給紙を行う手差しトレイＭＦが備えられている。
この他、トナー補給容器ＴＣが備えられ、図示していない廃トナーボトル、両面・反転ユニット、電源ユニットなども２点鎖線で示したスペースＳの中に備えられている。
【００１２】
現像手段としての現像装置１０Ｙ、１０Ｍ、１０Ｃ、１０Ｋは、いずれも同様の構成からなり、それらは使用するトナーの色のみが異なる２成分現像方式の現像装置１０Ｙ、１０Ｍ、１０Ｃ、１０Ｋであり、トナーと磁性キャリアからなる現像剤が収容されている。
現像装置１０Ｙ、１０Ｍ、１０Ｃ、１０Ｋは感光体ドラム１１に対向した現像ローラ、現像剤を搬送・撹拌するスクリュー、トナー濃度センサ等から構成されている。現像ローラは外側の回転自在のスリーブと内側に固定された磁石から構成されている。トナー濃度センサの出力に応じて、トナー補給装置よりトナーが補給される。
【００１３】
次に、画像形成の流れについて説明すると、先ず、帯電ローラに図示しない電源より所定の電圧が印加されて、対向する感光体ドラム１１Ｙ、１１Ｍ、１１Ｃ、１１Ｋ表面を帯電する。所定の電位に帯電した感光体ドラム１１Ｙ、１１Ｍ、１１Ｃ、１１Ｋ表面には、引き続いて光書き込みユニット３により画像データに基づくレーザ光が走査され、静電潜像が書き込まれる。
静電潜像を担持した感光体ドラム１１表面が現像装置１０に到達すると、感光体ドラム１１と対向配置される現像ローラにより、感光体ドラム１１表面の静電潜像にトナーが供給されて、トナー像が形成される。
上記の動作が感光体ユニット２Ｙ、２Ｍ、２Ｃ、２Ｋの全てに同様にして所定のタイミングで行われ、感光体ドラム１１Ｙ、１１Ｍ、１１Ｃ、１１Ｋ表面にはそれぞれ所定の色のトナー像が形成される。
【００１４】
転写紙Ｐは、給紙カセット４ａ、４ｂ、もしくは手差しトレイＭＦのいずれかから搬送され、レジストローラ５に到達したところでいったん停止する。そして、感光体ユニット２Ｙ、２Ｍ、２Ｃ、２Ｋの上記の画像形成動作にタイミングを合わせて、転写紙Ｐがレジストローラ５により送り出され、転写搬送ベルト４０によって搬送されながら、各感光体ドラム１１Ｙ、１１Ｍ、１１Ｃ、１１Ｋ上のトナー像を順次転写されていく。
この転写紙Ｐへのトナー像の転写は、転写搬送ベルト４０を挟んで各感光体ドラム１１Ｙ、１１Ｍ、１１Ｃ、１１Ｋと対向配置されている１次転写ローラ４２Ｙ、４２Ｍ、４２Ｃ、４２Ｋから、図示しない電源より感光体ドラム１１Ｙ、１１Ｍ、１１Ｃ、１１Ｋ上のトナーの極性と逆の極性の電圧が印加されることで行われる。
その後、感光体ドラム１１Ｋとの対向位置を通過し、４色のトナー像が重ね合わされた転写紙Ｐは、引き続いて定着ユニット７に搬送され、熱と圧力を受けて画像を定着される。
【００１５】
本実施形態に用いた画像形成装置は特別にこの構成を特徴としているわけではなく、例えば書き込み方式としてレーザではなくＬＥＤを使用する場合や、現像手段として２成分ではなく１成分であっても構わないし、定着手段としてベルトではなくローラや誘導加熱方式であっても構わない。
光沢付与シートを使用しない、通常画像を出力する場合は、第１定着ユニット１３を通過後、第１排紙方向１４の方へ排紙され、通常画像出力トレイ２７に出力される。
【００１６】
次に、高光沢画像出力の流れについて説明する。本発明の基本的な流れである、光沢付与シートを用いた、高光沢画像を出力する場合を、さらに図１を参照して説明する。以下ではシートを搬送する部材を搬送コロと明記しているが、これはロール状になっている搬送ローラでも構わない。
まず、作像された転写紙Ｐは、第１定着ユニット１３を通過後、第１排紙方向１４ではなく、第２排紙方向１５へと搬送される。この時、この転写紙Ｐにタイミングを合わせ、光沢付与シートトレイ１６から光沢付与シート１７が第１搬送コロ１８によって搬送されてくる。第２搬送コロ１９によって、光沢付与シート１７と、転写紙Ｐは接触し、重ね合わされる。
【００１７】
図２は光沢付与シートと転写紙の重ね合わせを説明する概略図である。上記光沢付与シート１７とトナー画像を有する転写紙Ｐの重ね合わせは、図２に示すように、光沢付与シート１７が、転写紙Ｐに対し、搬送方向に突出するように位置的オフセット３１を持って重ね合わされる。
この状態で、光沢付与シート１７と転写紙Ｐは、第２定着ユニット２０へと進入する。第２定着ユニット２０では、加熱された定着ローラによって、上記転写紙Ｐ上のトナー画像３０が溶融する。
【００１８】
図３は第２定着ユニットの通過後の光沢付与シートと転写紙の重ね合わせの状態を示す概略図である。図３に示すように、転写紙Ｐ上のトナーは溶融し、上記光沢付与シート１７の平滑面に接着・固化することにより、表面が平滑化されたトナー画像３２となる。
これにより、高光沢なトナー画像表面を形成することができる。この後、最終的な出力画像シートとしては、第３搬送コロ２３を通過後、上記光沢付与シート１７は除外し、高光沢な画像が記録された転写紙Ｐのみを、転写紙排出トレイ２１に排出する。
【００１９】
光沢付与シート１７及び転写紙Ｐは、分離部材２２により互いに剥離され、光沢付与シート１７は第４搬送コロ２４により搬送され、転写紙Ｐは第５搬送コロ２５により搬送される。
この時、光沢付与シート１７及び転写紙Ｐの間のトナーは、これらに密着しているため、トナーが接着している部分では、光沢付与シート１７と転写紙Ｐを容易には剥離することができない。
ここで、光沢付与シート１７及び転写紙Ｐの重ね合わせの関係は、図３に示すように、光沢付与シート１７が転写紙Ｐに対して突出しているため、光沢付与シート１７にのみ、まず分離作用を発生させることができるため、分離部材２２による分離作業が容易になる。
【００２０】
図４はトナー画像形成禁止領域を有する転写紙を示す概略図である。また、上記光沢付与シートと記録シートとを剥離する時、さらに剥離させ易いように、転写紙Ｐ上の搬送方向に対する先端部分には、トナー像が形成されないように、適切なトナー画像形成禁止領域を設けることができる。
図４に示すように、上記転写紙Ｐ先端部に、トナー画像形成禁止領域３３を持たせる。即ち、この領域に、トナー画像は形成されない。これにより、光沢付与シート１７と、転写紙Ｐとが、トナーにより接着されていない領域を、先端部に設置することができる。
この領域が十分に存在せず、光沢付与シート１７と、転写紙Ｐが端部においても接着していると、分離部材２２（図１）を光沢付与シート１７と転写紙Ｐの間隙に入れ込み、分離することが困難になる。
このように、転写紙Ｐ上でトナー画像形成禁止領域が設けられているため、このトナー画像形成禁止領域に分離部材２２を入れ込むことは容易であるため、第２定着後の分離部材２２による分離作業が、より容易になる。
【００２１】
転写紙Ｐ上のトナーは、転写紙Ｐと光沢付与シート１７とを接着させる作用を持っている。両者を分離部材２２によって剥離する場合には、両者、もしくは片方にでも、接着していない部分が豊富な方が、分離部材２２による分離作用の自由度が高くなり、剥離させ易くなる。
図５は転写紙搬送方向に対する、トナー画像禁止領域の長さと、光沢付与シートと転写紙の分離位置と、記録シートを搬送する搬送ローラとの距離の関係を示す概略図である。図６は転写紙搬送方向に対する、トナー画像禁止領域の長さと、光沢付与シートと転写紙の分離位置と、記録シートを搬送する搬送ローラとの距離の関係を示す概略図である。
【００２２】
図５及び図６によれば、まず、転写紙（記録シート）Ｐを搬送する第５搬送コロ２５と、光沢付与シート１７と転写紙Ｐとの剥離位置である第３搬送コロ２３との距離を、距離ｄ１（３４）とする。
また、転写紙Ｐの先端部のうち、トナー画像禁止領域３３が設けられており、転写紙Ｐの先端位置から、トナー画像が開始されるまでの長さを距離ｄ２（３５）とする。
この時、転写紙Ｐ搬送方向に対する、トナー画像禁止領域の長さが、光沢付与シート１７と転写紙Ｐの分離位置と、転写紙Ｐを搬送する第５搬送ローラ２５との距離より長い、即ち、ｄ１＜ｄ２となるように、転写紙Ｐ上のトナー画像禁止領域を持たせる。
このようにすることにより、光沢付与シート１７と、転写紙Ｐとの剥離をより容易に行うことができる。なぜならば、光沢付与シート１７と転写紙Ｐは、トナーがある部分においては、トナーによって接着されているため、剥離するには剥離作用を必要とする。しかし、トナー画像が無い部分では、トナーによる接着作用が無いため、すでに剥離された状態であり、剥離は極めて容易である。
【００２３】
トナー画像によって接着されている部分を剥離していくために、本実施形態では、第４搬送コロ２４、第５搬送コロ２５によって光沢付与シート１７と転写紙Ｐを異方向へ強制的に搬送し、引き剥がす。
第４搬送コロ２４とは、光沢付与シート１７を搬送するコロであり、第５搬送コロ２５は、転写紙Ｐを搬送するコロである。本実施形態においては、ｄ１＜ｄ２となっているため、光沢付与シート１７と転写紙Ｐがそれぞれの第４搬送コロ２４、第５搬送コロ２５に捉えられるまでは、トナーによる接着が無いため容易に搬送される。
【００２４】
次に、トナーによる光沢付与シート１７と転写紙Ｐの接着部が第５搬送コロ２５に到達した時には、光沢付与シート１７と転写紙Ｐは上記それぞれの搬送コロ２４及び２５によって捉えられているため、それらはトナー画像により接着しているが、搬送コロの搬送力によって剥離されながら、搬送を継続することが可能となる。
このように、転写紙搬送方向に対する、トナー画像禁止領域の長さが、分離位置と搬送ローラとの距離以上であるので、転写紙Ｐと光沢付与シート１７との接着部が剥離位置に到達する以前に、搬送コロ２４及び２５が記録紙Ｐ、及び光沢付与シート１７を担持して搬送作用を加えることができる。
これにより、転写紙Ｐと光沢付与シート１７の接着部が剥離部に到達した以降は、搬送ローラ２４及び２５による強力な搬送力により、転写紙Ｐと光沢付与シート１７を剥離し続けることができ、良好は剥離作用を持たせることが可能である。
【００２５】
分離部材２２の先端は鋭利な爪状の部位を有しており、これが光沢付与シート１７と転写紙Ｐとの間隙に入り込み、光沢付与シート１７と転写紙Ｐとの分離を行うことができる。また、転写紙Ｐと光沢付与シート１７の近接状態から、剥離状態へと容易に移行させることができる。
図７は分離部材の他の実施形態を示す概略図である。図８は作動位置にある図７の分離部材を示す概略図である。例えば、分離部材２２は、図７に示すように、枢動可能で、先端に鋭利な爪状部材２２ａを有するＬ形状をしており、これに光沢付与シート１７が進入、接触し、応力を与えることで、分離部材２２の支点を基に回転動作等を起こし、分離部材２２の鋭利な爪状部材２２ａが、光沢付与シート１７を持ち上げる。
これにより、図８に示すように、爪状部材２２ａが、光沢付与シート１７と転写紙（記録シート）Ｐとの間隙を広げ、かつ、爪状部材２２ａは光沢付与シート１７の下方に接触しているため、上記間隙に容易に入り込み、光沢付与シート１７と転写紙Ｐを容易かつ確実に剥離することができる。
剥離された光沢付与シート１７と転写紙Ｐは、それぞれ、第４搬送コロ２４及び第５搬送コロ２５によって搬送されながら、さらに、分離部材２２の鋭利な爪状部位２２ａの一部が、光沢付与シート１７の接触により作用力を受けることにより、剥離作用をより円滑にする。
【００２６】
図９は図１の第３搬送コロを搬送ベルトに代えた実施形態を示す概略図である。図１０は図９の搬送ベルトと静電吸着ローラを示す概略図である。図９に示すように、搬送ベルト３６が適宜な方法で回転可能に設置されており、この搬送ベルト３６、及び光沢付与シート１７は、静電吸着ローラ３７によって帯電させられている。
この帯電により、光沢付与シート１７は、搬送ベルト３６に静電吸着し、そのまま第４搬送コロ２４へと搬送されていく。この時、光沢付与シート１７は搬送ベルト３６に吸着している。
このように、光沢付与シート１７と転写紙Ｐの両方、若しくは片方を静電的に搬送ベルト３６に吸着させて搬送を行うので、例えば、上述のように、光沢付与シート１７が吸着されていれば、そのまま第４搬送コロ２４へと搬送されていく。
【００２７】
そこで、図１０に示すように、光沢付与シート１７は、搬送ベルト３６の曲率部に連れまわることで転写紙（記録シート）Ｐから離れるため、分離部材２２による光沢付与シート１７と転写紙Ｐとの分離がより容易かつ確実になる。
詳細は図示してないが、図９に示す搬送ベルト３６は、気流の吸引による吸着性を有することができる。この吸着性により、光沢付与シート１７は搬送ベルト３６に吸着し、そのまま第４搬送コロ２４へと搬送されていく。
この時、光沢付与シート１７が搬送ベルト３６に吸着していることで、転写紙（記録シート）Ｐから離れるため、分離部材２２による、光沢付与シート１７と転写紙Ｐとの分離がより容易かつ確実になる。この吸着方式においては、図９に示す静電吸着ローラ３７は必ずしも必要無い。
【図面の簡単な説明】
【００２８】
【図１】本発明を実施する電子写真式の画像形成装置の構成を示す概略図である。
【図２】光沢付与シートと転写紙の重ね合わせを説明する概略図である。
【図３】第２定着ユニットの通過後の光沢付与シートと転写紙の重ね合わせの状態を示す概略図である。
【図４】トナー画像形成禁止領域を有する転写紙を示す概略図である。
【図５】転写紙搬送方向に対する、トナー画像禁止領域の長さと、光沢付与シートと転写紙の分離位置と、記録シートを搬送する搬送ローラとの距離の関係を示す概略図である。
【図６】転写紙搬送方向に対する、トナー画像禁止領域の長さと、光沢付与シートと転写紙の分離位置と、記録シートを搬送する搬送ローラとの距離の関係を示す概略図である。
【図７】分離部材の他の実施形態を示す概略図である。
【図８】作動位置にある図７の分離部材を示す概略図である。
【図９】図１の第３搬送コロを搬送ベルトに代えた実施形態を示す概略図である。
【図１０】図９の搬送ベルトと静電吸着ローラを示す概略図である。
【符号の説明】
【００２９】
１７  光沢付与シート、２０  第２定着手段（第２定着ユニット）、２２  分離手段（分離部材）、２２ａ  爪状部位、２５  搬送コロ（第５搬送コロ）、３１  オフセット、３３  トナー画像形成禁止領域、５０  画像形成装置、Ｐ  記録シート（転写紙）
【図１】
2008064804.tif 000003
【図２】
2008064804.tif 000004
【図３】
2008064804.tif 000005
【図４】
2008064804.tif 000006
【図５】
2008064804.tif 000007
【図６】
2008064804.tif 000008
【図７】
2008064804.tif 000009
【図８】
2008064804.tif 000010
【図９】
2008064804.tif 000011
【図１０】
2008064804.tif 000012